Podtech/llm-jp-corpus-v4-ja_patent huggingface dataset:
(57)【要約】【課題】  本発明は、少ない労力で、水に手を直接触れることなく、米をとぐことができる米とぎ器を提供することを課題とする。【解決手段】    次の構成を具備することを特徴とする米とぎ器を提供することで、課題を解決した。（Ａ）米と水を収納できる内面が平滑な筒状容器と、前記容器を回転自在に支持する支持      部を、備えること。（Ｂ）前記容器と前記支持部は、前記容器の中心線を回転軸の中心線に対し略９０度の角      度に固定した状態で、前記容器を上下方向に回転させることができる、構成とする      こと。（Ｃ）前記容器は、米と水を出し入れできる開口部と蓋を、備えること。（Ｄ）前記容器は、水を通すが米は通さないメッシュを備えた水抜き部を、備えること。【選択図】図１
2014113431.tif 000002
【特許請求の範囲】
【請求項１】
次の構成を具備することを特徴とする米とぎ器。
（Ａ）米と水を収納できる内面が平滑な筒状容器と、前記容器を回転自在に支持する支持      部を、備えること。
（Ｂ）前記容器と前記支持部は、前記容器の中心線を回転軸の中心線に対し略９０度の角      度に固定した状態で、前記容器を上下方向に回転させることができる、構成とする      こと。
（Ｃ）前記容器は、米と水を出し入れできる開口部と蓋を、備えること。
（Ｄ）前記容器は、水を通すが米は通さないメッシュを備えた水抜き部を、備えること。
【発明の詳細な説明】
【技術分野】
【０００１】  本発明は、米とぎ器に関する。
【背景技術】
【０００２】  従来、米はボウルや炊飯器の内釜の中で、直接手でもみ洗いするようにとぐのが一般的であった。しかし、米をとぐのに多大な労力を要し腕が疲れる、水に手を直接触れるので手が荒れる、という問題があった。
【発明の概要】
【発明が解決しようとする課題】
【０００３】  本発明は、前記の従来技術の問題を解決し、少ない労力で、水に手を直接触れることなく、米をとぐことができる米とぎ器を提供することを目的とする。
【課題を解決するための手段】
【０００４】  上記課題を解決するための手段として、本発明に係る米とぎ器は、次の構成を具備することを特徴とする。
（Ａ）米と水を収納できる内面が平滑な筒状容器と、前記容器を回転自在に支持する支持      部を、備えること。
（Ｂ）前記容器と前記支持部は、前記容器の中心線を回転軸の中心線に対し略９０度の角      度に固定した状態で、前記容器を上下方向に回転させることができる、構成とする      こと。
（Ｃ）前記容器は、米と水を出し入れできる開口部と蓋を、備えること。
（Ｄ）前記容器は、水を通すが米は通さないメッシュを備えた水抜き部を、備えること。【０００５】  上記課題解決手段による作用は次の通りである。すなわち、米と水を入れた容器を、回転軸の中心線に対し９０度の角度に固定した状態で、上下方向に回転させることで、米と水が、上下落差が大きい状態で上下落下することから、しっかり米がとげる。容器は支持部で支持されており、容器を手で持つことなく回転させることから、少ない労力で米をとぐことができる。また、水に手を直接触れることなく、米をとぐことができる。
【発明の効果】
【０００６】  上述したように、本発明の米とぎ器は、少ない労力で、水に手を直接触れることなく、米をとぐことができる米とぎ器を提供できる。
【図面の簡単な説明】
【０００７】
【図１】  本発明の実施形態を示す米とぎ器の一例の斜視図
【図２】  図１の米とぎ器の一例の正面図
【発明を実施するための形態】
【０００８】  以下、本発明の実施の形態を図１、図２に基づいて説明する。
【０００９】  図においては、次の構成を具備することを特徴とする米とぎ器の一例を図示している。
（Ａ）米と水を収納できる内面が平滑な筒状容器２１と、前記容器を回転自在に支持する      支持部４１を、備えること。
（Ｂ）前記容器と前記支持部は、前記容器の中心線６１を回転軸の中心線５２に対し略９      ０度の角度に固定した状態で、前記容器を上下方向に回転させることができる、構      成とすること。
（Ｃ）前記容器は、米と水を出し入れできる開口部２２と蓋２３を、備えること。
（Ｄ）前記容器は、水を通すが米は通さないメッシュ３２を備えた水抜き部３１を、備え      ること。
【００１０】  先ず、容器２１の蓋２３を開けて、開口部２２から、米と水を容器２１に入れて、蓋２３を閉める。
次に、回転軸５１を回して、容器２１を上下方向に回転させることで、少ない労力で、水に手を直接触れることなく、米をとぐことができる。
次に、容器２１の水抜き部３１を開けて、水を出す。水抜き部３１には、水を通すが米は通さないメッシュ３２を備えていることから、水に手を直接触れることなく、水だけを出すことができる。
最後に、容器の蓋２３を開けて、開口部２２から、米を出す。前記容器２１は、内面を平滑にしていることから、米を容易に出すことができる。
【００１１】  なお、図１、図２では、本発明の米とぎ器の一例として、角筒状容器の一例を図示しているが、その他にも、円筒状容器やその他の筒状容器でもよい。また、水抜き部を容器の蓋に備えた一例を図示しているが、その他にも、水抜き部を容器の他の場所に備えたものでもよい。また、前記容器を回転させる動力は、手動力でも、電動力でもよい。
【符号の説明】
【００１２】２１  容器
２２  開口部
２３  蓋
３１  水抜き部
３２  メッシュ
４１  支持部
５１  回転軸
５２  回転軸の中心線
６１  容器の中心線
【図１】
2014113431.tif 000003
【図２】
2014113431.tif 000004
(57)【要約】【課題】マスクの長辺に平行な折り目を開くためには、上下に引っ張る必要がある。また鼻の部分に隙間が出来やすいため、呼吸等でメガネ等が曇る事がある。  本発明は、折り目を簡単に立体形状に出来るマスクを提供する。【解決手段】マスクの短辺に平行な折り目を設け、その折り目を設けた状態で、長辺に平行に折り目を設ける。鼻の部分には、三角の折り目をもうける。マスク上部にはマチを設ける。以上の構成よりなる折りたたみマスク。【選択図】図１
2014113433.tif 000002
【特許請求の範囲】
【請求項１】
マスク部（１）の表面部上部長辺（７）に折り込み部（９）を介して連続する折り返し部（２）と、折り返し部に設けられた三角形の鼻当て部、および中央線に平行な山折り線（３）と中央線に平行な谷折り線（４）で形成された折りたたみ部を設けた状態で、マスクの長辺に平行な折り目（１０）を複数設けたことを特徴とするマスク。
【発明の詳細な説明】
【技術分野】
【０００１】  本発明は、紙のマスクに縦と横及び鼻の両側部分に折り目をいれ、立体的な形状が形成しやすいマスクを提供する。
【背景技術】
【０００２】  平面なマスクに、縦と横の折り目と、鼻に接触する部分に三角形の折り目を入れることによって、顔の頬部に密着し、快適な装着感を得られる。
なお、平行に折りたたんだ折り目を有する長方形状のマスクが一般的である（特許文献  １参照）
【先行技術文献】
【特許文献】
【０００３】
【特許文献１】  特開平１１−９９２１６
【発明の概要】
【発明が解決しようとする課題】
【０００４】  マスクの長辺に平行な折り目を開くためには、上下に引っ張る必要がある。また鼻の部分に隙間が出来やすいため、呼吸等でメガネ等が曇る事がある。
【課題を解決するための手段】
【０００５】  マスクの短辺に平行な折り目を設け、その折り目を設けた状態で、長辺に平行に折り目を設ける。鼻の部分には、三角の折り目をもうける。マスク上部にはマチを設ける。
以上の構成よりなる折りたたみマスク。
【発明の効果】
【０００６】マスクの折り目が垂直に、複数重なっていることによって、マスクを開くと同時に立体形状を形成することができる。また鼻の部分に三角の折り目とマチを入れることで、鼻への密着度も高くなる。
【図面の簡単な説明】
【０００７】
【図１】本発明の前面からの斜視図
【図２】本発明の裏面からの斜視図
【図３】本発明の平面図
【図４】展開時の平面図
【図５】Ａ−Ａ断面図
【図６】展開時の正面図
【図７】展開時の裏面図
【図８】本発明の側面からの斜視図
【図９】本発明の側面からの斜視図
【図１０】本発明の使用状態を示す斜視図
【発明を実施するための形態】
【０００８】  以下、本発明の実施の形態を説明する。
マスク部（１）の表面部上部長辺（７）に折り込み部（９）を介して連続する折り返し部（２）と、折り返し部に設けられた三角形の鼻当て部、およびマスク部短辺方向に平行な折りたたみ部とマスク部長辺部に平行な折りたたみ部で形成される。
【０００９】  マスク部（１）はマスク短辺に平行な中央線（１１）と、中央線に略平行な山折り線（３）と中央線に略平行な谷折り線（４）で形成された折りたたみ部を持つ。山折り、谷折り部は、逆も可能であり、中央線の左右にそれぞれ一ケ所、または数ケ所設ける。
（３）と（４）で形成された折りたたみ部を設けた状態で、マスクの長辺に平行な折り目（１０）を複数設ける。（図８）に示すとおり折り目の向きは下方向が好ましい。
折り返し部（２）とマスクの長辺に平行な折り目（１０）は、マスク本体の両短辺において溶着、接着、縫製等により、一体化されている（１２）。この時、平行な折り目（１０）を設ける範囲は、下側端返より短手方向の二分の一、好ましくは三分の一以上とする。
折り返し部（２）に、山折り線（５）と谷折り線（６）で形成された、三角部（１３）を設ける。
【００１０】  山折り線（５）は、図９に示すように、マスク表面部（１）の上部長辺（７）および折り返し部（２）の上部長辺（８）と同じ位置に設ける。
マスク本体は図９のように、表面部を外側として中央線（１３）で半分に折りたたまれている。  両短面一体部（１２）に、耳に掛かる係止部を設ける。
本発明は以上のような構造である。
【００１１】  本発明を使用するときは、マスク本体の両短辺（１２）を持ち、マスク本体を開く。このときマスクの長辺に平行な折り目（１０）は、中央線に平行な折り目（３）の動きに伴って開いていく（図６）。この折り目の開いた状態（図６）は、マスクを立体形状にするので、マスク装着時に快適な使用感が得られる。マスク本体が開かれることで、折り返し部の三角部（１３）は三角部山折り線（５）と三角部谷折り線（６）により、立体が形成される。この立体の三角部（１３）を顔面の鼻の部分に密着させて使用する。またマスク本体が開かれると同時に、表面部の上部長辺（７）と折り返し部の上部長辺（８）が開き（図４）に示すように、呼吸等でメガネ等が曇る現象を緩和することができる。
【符号の説明】
【００１２】１マスク部  ２折り返し部  ３中央線に平行な山折り線  ４中央線に平行な谷折り線  ５三角部山折り線  ６三角部谷折り線  ７表面部の上部長辺  ８折り返し部の上部長辺  ９折り込み部  １０長辺に平行な折り目  １１中央線  １２両短辺一体部  １３三角部  １４裏面部  １５係止部
【図１】
2014113433.tif 000003
【図２】
2014113433.tif 000004
【図３】
2014113433.tif 000005
【図４】
2014113433.tif 000006
【図５】
2014113433.tif 000007
【図６】
2014113433.tif 000008
【図７】
2014113433.tif 000009
【図８】
2014113433.tif 000010
【図９】
2014113433.tif 000011
【図１０】
2014113433.tif 000012
(57)【要約】【課題】  従来の防災頭巾と寝袋は別々のものであった。防災頭巾のみでは避難所での防寒用具にするには不十分であった。  本発明は、避難所で防寒用具としても兼用できる、寝袋になる防災頭巾を提供する。【解決手段】  正方形の布からなる本体中央に垂直に縦線を設け、縦線上部に二等辺三角形の鈍角の頂点が下向きになるよう上縁より二本の線を設ける。本体縦線により二分された二個の長方形下方に折り返し線を水平に設け、一方の折り返し片の下縁に湾曲した半楕円形状の寝袋の頭部を設ける。頭部縁に紐を通すトンネル部分を設け、紐を通してフードを設ける。【選択図】図６
2014113436.tif 000002
【特許請求の範囲】
【請求項１】
正方形の布からなる本体中央に垂直に縦線を設け、縦線上部に二等辺三角形の鈍角の頂点が下向きになるよう上縁より二本の線を設け、本体縦線により二分された二個の長方形下方に折り返し線を水平に設け、一方の折り返し片の下縁に湾曲した半楕円形状の寝袋の頭部を設け、湾曲部縁に紐を通すトンネル部分を設け紐を通してフードを設けた寝袋になる防災頭巾。
【発明の詳細な説明】
【技術分野】
【０００１】  本発明は災害発生時において、頭部、背中の保護を図るとともに避難所においては、防寒用カバー、寝袋としても活用できる寝袋になる防災頭巾に関するものである。
【背景技術】
【０００２】  従来の一般的な防災頭巾は、中央から二つ折りした形で形成されている。頭部、肩  保護のみであった。防災頭巾と寝袋は別々のものであった。
【発明の概要】
【発明が解決しようとする課題】
【０００３】  従来は防災頭巾と寝袋は別々のものであった。防災頭巾のみでは避難所での防寒用具にするには不十分であった。
本発明は、以上の問題点を解決するためになされたものである。
【課題を解決するための手段】
【０００４】  正方形の布からなる本体中央に垂直に縦線を設け、縦線上部に二等辺三角形の鈍角の頂点が下向きになるよう上縁より二本の線を設け、本体縦線により二分された二個の長方形下方に折り返し線を水平に設け、一方の折り返し片の下縁に湾曲した半楕円形状の寝袋の頭部を設け、湾曲部縁に紐を通すトンネル部分を設け、紐を通してフードを設ける。
以上の構成よりなる寝袋になる防災頭巾。
【発明の効果】
【０００５】  本発明の防災頭巾は寝袋兼用のため背中にふくらみの余裕があり、荷物、幼児を背負って頭巾をかぶることができ、避難途中火の粉が背中に及ぶことを防ぐものである。
寝袋兼用のため、頭巾上下内側に折り入れてある部分を広げ、開口部を閉じることで、寝袋、保湿用カバー、布団としても使用することができる。
【図面の簡単な説明】
【０００６】
【図１】本発明の展開した状態を示す平面図
【図２】本発明の要部拡大平面図
【図３】本発明の裾部分を折り曲げた状態を示す平面図
【図４】本発明の防災頭巾とした状態を示す側面図
【図５】本発明の防災頭巾とする前の開いた斜視図
【図６】本発明の防災頭巾とした状態を示した斜視図
【図７】本発明の防災頭巾として使用している状態を示した斜視図
【図８】本発明の寝袋として使用している状態を示す平面図
【発明を実施するための形態】
【０００７】  以下、本発明の実施の形態を説明する。
（イ）図１が示すように、正方形の布からなる本体（１）の中央に左右が同面積になるよう垂直に縦線（２）を設け、縦線（２）により形成された二個の長方形（３ａ，３ｂ）それぞれの上縁（５ａ，５ｂ）中央部より縦線（２）上部に合わさるように二本の斜線（４ａ，４ｂ）を設ける。
（ロ）二個の長方形（３ａ，３ｂ）下部に水平に折り返し線（６）を設け、一方の折り返し片下縁（７ｂ）に湾曲した半楕円形（８ａ）の頭部を設け、下縁（８ｂ）にトンネル状ひも通し（９）を設けひも（１０）を通す。
（ニ）図３は本体（１）下部の折り返し線（６）にそって長方形下縁（７ａ，７ｂ）を上へ折り曲げたものである。
（ホ）図４は本体（１）上縁（５ａ，５ｂ）より中央垂直線（２）にのびる二本の斜線（４ａ，４ｂ）にそって内側へ折り、中央垂直線（２）で本体（１）が半分になるように折ったものである。
（ヘ）図５は図４の斜視図である。
（ト）図６は本体（１）上縁（５ａ，５ｂ）を縫合し、背部へのびる斜縁（４ａ，４ｂ）、本体（１）下部を内側へ折り曲げたものである。
（チ）図８は内部へ折り入れた部分をすべて外側へ出して広げたものである。
本発明は以上のような構造である。
本発明を頭巾として使用するときは、本体（１）上部の斜縁部（４ａ，４ｂ）を内側へ折り入れ、下縁部（７ａ，８ｂ）を本体（１）下部折り返し線（６）で内側上部へ向けて折り入れる。頭にかぶり前部をとめ具で固定する。
本発明を寝袋として使用するときは、本体（１）上部内側に折り入れてある斜線部（４ａ，４ｂ）を外側へ広げ、内側上部へ向けて折り入れてある下縁部（７ａ，８ｂ）を外側へのばし、半楕円形縁（８ｂ）に設けたトンネル状ひも通し（９）のひも（１０）を頭にそって引く。
【符号の説明】
【０００８】（１）本体、（２）縦線、（３ａ，３ｂ）長方形、（４ａ，４ｂ）斜線
（５ａ，５ｂ）上縁、（６）折り返し線、（７ａ，７ｂ）下縁、
（８ａ）頭部  （８ｂ）楕円形縁、（９）ひも通し、（１０）ひも
【図１】
2014113436.tif 000003
【図２】
2014113436.tif 000004
【図３】
2014113436.tif 000005
【図４】
2014113436.tif 000006
【図５】
2014113436.tif 000007
【図６】
2014113436.tif 000008
【図７】
2014113436.tif 000009
【図８】
2014113436.tif 000010
(57)【要約】      （修正有）【課題】全国に点在する梅の産地で、梅肉健康巻きずしを作り、地産地消のヒントを提供し、活性化に役立てる。【解決手段】梅干しの種をとり除いた梅肉を、青しその葉の上に薄くのばして具に入れ、酢飯を海苔で巻き，押しぬきで長方形に軽く巻いて作られた梅肉健康巻きずし。【選択図】なし【特許請求の範囲】
【請求項１】
梅干しの種をとり除いた梅肉を、青しその葉の上に薄くのばして具に入れ、酢飯を海苔で巻き，押しぬきで長方形に軽く巻いたことを特徴とする、梅肉健康巻きずし。
【発明の詳細な説明】
【技術分野】
【０００１】本発明は見かけもすっきり、味もとびきり上品で凄く美味しく、とりわけ健康にも優れた、地域の特産品となる、梅肉健康巻きずしに関するものである。
【背景技術】
【０００２】全国の優れた梅の名産地、和歌山・九州太宰府・青森の握りこぶし大の梅・岡山の久米の里等、等、名産地に梅を使った特産品を是非作るべきである。
【先行技術文献】
【特許文献】
【０００３】
【特許文献１】
【発明の概要】
【発明が解決しようとする課題】
【０００４】最近は地域の活性化が叫ばれ、地産地消の特産品で活性化を目指すことが重要となっている。特に梅肉健康巻きずしは、健康食品としての役割も大きい。
【課題を解決するための手段】
【０００５】▲１▼うるち米１．８リットルあたり、もち米０．１リットルを混ぜて炊飯し、甘口の場合は砂糖３００ｇ、辛口の場合は砂糖２５０〜２７０ｇ、酢少々、塩少々で味つけし、酢飯を作る。
▲２▼次に梅干しの種をとり、梅肉に砂糖少々を加え好みの味付けをする。
▲３▼海苔に酢飯を平たくのばし、しその葉を敷き、梅肉を具に入れ、図示のように断面が縦２．５ｃｍ・横６ｃｍ位の大きさに（長方形）押し抜きで巻きずしを作る。
▲４▼各産地で蜂蜜梅干しがある場合、つぶれ蜂蜜梅干しを使用すれば徳用である。
【発明の効果】
【０００６】梅肉の抗酸化作用と、酢飯で防腐効果が大で長持ちがして、体にも優しく、上品で爽やかな味覚は言いようのないものである。
最近出回っている健康食品としても好んで求められるし、生産コストが安価で採算性も抜群である。地産地消の効果も高い。
【図面の簡単な説明】
【０００７】
【図１】断面図
【図２】斜視図
【発明を実施するための形態】
【０００８】巻きずしを切ると、海苔に巻かれた真っ白い酢飯の中に、横一文字の梅肉の真紅が鮮やかに映えて、見た目も上品そのもので、盛りつけに紅生姜を添えると、一層美しく見栄えがする。又味が爽やかで、とびきり上品なことが食欲をそそる。
【符号の説明】
【０００９】１．      海苔
２．      青しその葉
３．      梅肉
【図１】
2014113135.tif 000002
【図２】
2014113135.tif 000003
(57)【要約】      （修正有）【課題】空調機室外機用の樹脂製箱型据付台への、ドレンホース端末部の固定を簡単で確実に実施でき、なおかつ円滑にドレン水を排水できる、エアコン室外機用の樹脂製箱型据付台を提供する。【解決手段】エアコン室外機用の樹脂製箱型据付台１のいずれかの側面の前方部または後方部に、工具を使わずにドレーンホース６を線状材７で固定するための、手で押し込んで、上下に、二ヶ所の、線状材７が通過できる穴３が出来る構造部を設けた。【選択図】図２
2014215031.tif 000002
【特許請求の範囲】
【請求項１】
エアコンの、室外機樹脂製箱型据付台の、いずれかの側面の前方部または後方部に、手で押し込んで上下に二ヶ所の、線状材が通過できる穴が出来る構造部を設けたことを特徴とする樹脂製箱型のエアコンの室外機据付台。
【発明の詳細な説明】
【技術分野】
【０００１】本発明は、空調機室外側の樹脂製箱型据付台のドレンホース端末部の固定を簡単確実にするものである。
【背景技術】
【０００２】従来、エアコンを設置工事する際に、室外側のドレンホースを所定の位置や、排水溝まで伸ばし、円滑に流れるようにする。特別な排水溝が有れば別だが、一般的には、ベランダや、樋に流すケースが大半を占める。そのためドレンホースの端末部分をエアコンの室外機の樹脂製箱型据付台に固定する工程が不可欠だった。
【先行技術文献】
【特許文献】
【０００３】
【特許文献１】特開２００３−２９４２７０号公報
【発明の概要】
【発明が解決しようとする課題】
【０００４】しかしながら、その工程には次のような欠点があった。エアコンの室外側のドレンホースの端末部分を、樹脂製箱型据付台に固定するには、固定金具や、穴を開けるドリル  また、それを止めるビスやワッシャー、ドライバーなどの、様々な部材や工具の用意をし、利用工夫して行なわなければならない。その為、時間や手間が大変かかり、その上、この工程は冷媒配管の取り回しや接続、また室外機の位置関係で、概ねエアコン工事据付作業全体の、最後の段階でしか出来なかった。前もってドリルで穴を２箇所開けて線状材を通し、後から縛るという手段も有るが、これでは道具も必要になり、クズも出る。また室外機が樹脂製箱型据付台に設置されてからでは、重たい物を持ち上げながらの作業となり、大変し辛いものである。しかしこのドレンホースを樹脂製箱型据付台に固定するという作業は大切で、これを怠ると、ドレンホースの端末部が浮き上がってしまう事が有る。そうなると、うまく水が流れず、ドレンホース内にドレン水が溜まったままになって、部分的に劣化を早めたりし、苔などが発生しやすい。また浮き上がった状態のままエアコンを使用時していると、ドレンホースの内部に溜まった水の抵抗により、ドレンホース内部の圧力が上がり、エアートラップが発生する。最悪の場合、室内側へのドレン水の逆流が起こり、部屋内の室内機より水漏れを起こしたりもする。また、樹脂製箱型据付台にしっかりと固定していなければ、ひっかかったりして、危険な上、不意に踏みつけたりして破損したりする。最初から穴が開けてあると、デザイン上の問題がある。
【課題を解決するための手段】
【０００５】従来の様な、一般的な樹脂製箱型据付台（１）の側面前方部に、工具を使わず、手で押し込むだけで、上下に２つの線状材を通す為の、穴の出来る構造部分を設ける。
上の切り込みの入った部分と、下の切り込みが入った（２）と（３）の部分を、樹脂製箱型据付台（１）の内側へと、押し込む。この時（２）と（３）の部分に二ヶ所の穴が出来る。こうして出来た二ヶ所の穴の上（２）の穴から、（３）の下の穴へと線状材（７）を通す。本体（室内機／室外機）据付工事後、ドレンホースの取り回しを決め、ドレン水が、円滑に流れる様に勾配をつけて角度決めをした後、先ほど通しておいた線状材（７）にて、ドレンホース（６）を結び、固定し、完成さす。
【発明の効果】
【０００６】本発明には、次の様な効果がある。
（イ）固定金具等の部材や、特殊工具を用意する必要が無くなる。
（ロ）穴を開ける作業や、ビスを揉む作業が無くなる。
（ハ）樹脂の削りクズや、ゴミが一切出ない。
（ニ）最後の工程にて位置決めをしてから固定が出来る為、ドレンホースの長さを事前に      計測する必要が無い。
（ホ）エアコンの室外機を、樹脂製箱型据付台に設置した後からでも線状材を簡単に通せ      る。
（ヘ）最も低い位置にドレンホースの端末部を固定出来るため、円滑にドレン水を排水出      来き、エアートラップも出来ない。
以上総称すると、ドレン水の円滑な排水が出来、余分なコストもかからず端末固定      作業が簡単になり、綺麗に仕上がる。
【図面の簡単な説明】
【０００７】
【図１】一般的な、樹脂製箱型据付台に、室外機を据付けた斜視図である。
【図２】本発明の、樹脂製箱型据付台に、室外機を据付けた斜視図である。
【図３】本発明の、樹脂製箱型据付台の、固定構造部の斜視図である。
【図４】本発明の、樹脂製箱型据付台の、固定構造部の正面図である。
【図５】本発明の、樹脂製箱型据付台の、固定構造部の断面図である。
【図６】本発明の、樹脂製箱型据付台の、固定構造部の実施断面図である
【図７】本発明の、樹脂製箱型据付台の、固定構造部の、利用図である。
【発明を実施するための形態】
【０００８】以下［図１］から［図８］を使って説明する。
［図１］のような一般的な樹脂製箱型の室外機据付台（１）のいずれかの側面の前方部または後方部に、工具を使わず、手で押し込むだけで、上下に２つの線状材（７）を通す為の、穴の出来る構造部分（［図３］［図４］［図５］）を設ける。
線状材としては、例えば、結束バンド、ビニール帯、ひも、などを使用できる。
［図３］から［図６］の切り込み（５）で囲まれた（２）の部分と、（３）の部分を、樹脂製箱型据え置き台（１）の内側へと、押し込む。
この時［図６］の様に（２）の部分を押し込んで出来た上部の穴より（３）の部分を押し込んで出来た下穴の方が、［図６］様に大きく、斜めになっている為、［図７］の様に、線状材（７）を（２）の上の穴から（３）の下の穴へと導きやすい。
本体（室内機／室外機）据付工事後、ドレンホースの取り回しを決め、ドレン水が円滑に流れる洋に勾配をつけて、角度決めをした後、［図２］の様に、先ほど通しておいた線状材（７）にて、ドレンホース（６）を結び、固定し、完成さす。
その先のドレンホースが、不必要な場合は［図２］の様に、その部分はカットすれば良い。
【符号の説明】
【０００９】（１）  室外機（図示せず）を置く樹脂製箱型の据付台
（２）  手で押し込む部分（上穴用）
（３）  手で押し込む部分（下穴用）
（４）  薄圧（スリットが入っている）で加工された溝（図４／５では太線で表示）
（５）  切り込みが入れられている部分（図４／５では点線で表示）
（６）  ドレンホース
（７）  線状材（結束バンド、ビニール帯、ひも、など）
【図１】
2014215031.tif 000003
【図２】
2014215031.tif 000004
【図３】
2014215031.tif 000005
【図４】
2014215031.tif 000006
【図５】
2014215031.tif 000007
【図６】
2014215031.tif 000008
【図７】
2014215031.tif 000009
(57)【要約】【課題】製作が容易でフィンを高密度に配置可能であるとともに、フィン形状の自由度が高い熱交換部材のフィン成形方法の提供を目的とする。【解決手段】熱交換部材の表面に形成されるフィン形状の成形方法であって、ベース部材とベース部材の表面に条状の突部と溝部とを交互に平行に押出成形し、前記平行に形成された突部をクロス方向に複数の切削溝を形成することを特徴とする。【選択図】  図１
2014236024.tif 000002
【特許請求の範囲】
【請求項１】
熱交換部材の表面に形成されるフィン形状の成形方法であって、
ベース部材とベース部材の表面に条状の突部と溝部とを交互に平行に押出成形し、前記平行に形成された突部をクロス方向に複数の切削溝を形成することを特徴とする熱交換部材のフィン成形方法。
【請求項２】
前記フィンは平面視で略菱形形状になっていることを特徴とする請求項１記載の熱交換部材のフィン成形方法。
【発明の詳細な説明】
【技術分野】
【０００１】
本発明は、ヒートシンクの放熱フィンや熱交換器伝熱プレートの伝熱フィン等、熱交換部材のフィンを成形する方法に関する。
【背景技術】
【０００２】
発熱する機械や電気部品には熱の放散により温度上昇を抑える目的でヒートシンクが取り付けられている。
また、熱交換器の分野においては、冷媒等を介して伝熱移動を効率よく行うために各種伝熱プレートが取り付けられている。
このようなヒートシンクや伝熱プレートの表面には、熱抵抗を下げる目的で板状や棒状の複数のフィンを形成し、表面積が広くなるように工夫がされている。
板状のフィンの場合には、熱伝導率の高いアルミニウム合金等の押出材が広く採用されているが、空気，水，その他の冷媒等の流れ方向に制限があり、熱抵抗が必ずしも充分に低くない。
棒状のフィンの場合には、一般に針状のフィンが複数形成された剣山タイプであり、鋳造方法にて成形されており、金型の抜き勾配が必要なためにフィンを高密度に配置するのが難しかった。
特許文献１には、熱抵抗を下げるために離散的な突起の幾何学的形状の例として菱形を挙げているが、交差する複数の溝を二方向からの切削加工にて成形するものであり、切削工数が多く、高価である。
【先行技術文献】
【特許文献】
【０００３】
【特許文献１】特開２０１０−２０３４４０号公報
【発明の概要】
【発明が解決しようとする課題】
【０００４】
本発明は製作が容易でフィンを高密度に配置可能であるとともに、フィン形状の自由度が高い熱交換部材のフィン成形方法の提供を目的とする。
【課題を解決するための手段】
【０００５】
本発明は、熱交換部材の表面に形成されるフィン形状の成形方法であって、ベース部材とベース部材の表面に条状の突部と溝部とを交互に平行に押出成形し、前記平行に形成された突部をクロス方向に複数の切削溝を形成することを特徴とする。
【０００６】
アルミニウム，マグネシウム及びそれらの合金等を用いた押出成形によれば、断面の二次元形状の自由度が高く、断面櫛歯状に幅の狭い条状の溝部と肉厚の薄い板状の突部とを容易に形成することができる。
したがって、この複数の突部が平行に有するこの突部に対して、所定の角度でクロス（交差）させる方向に切削加工することで、クロス方向に複数の切削溝を形成することができる。
また、切削加工する切削幅やクロス角度を変えることで形成される平面視で略菱形形状の大きさや対角を自由に変更できる。
【発明の効果】
【０００７】
本発明に係るフィンの成形方法にあっては、押出部材と切削加工を組み合せることで一方向の切削加工のみで複数のフィンを形成することができ、複数のフィンを高密度に配置可能であり、低コストにて製作できる。
また、押出部材は従来の鋳造方法と比較して、内部欠陥が少なく熱交換性能にバラツキが少ない。
【図面の簡単な説明】
【０００８】
【図１】熱交換部材のフィン成形例を示す。（ａ）は押出部材を示し、（ｂ）はクロス方向に切削する例を示し、（ｃ）は菱形フィンの成形例を示す。
【図２】菱形形状のフィンの一方の対角線に沿って流体が流れるように熱交換部材を切り出す例を示す。（ａ）は切り出し方向を示し、（ｂ）は切り出した後の熱交換部材の例を示し、（ｃ）はフィン部材をケース体で囲んだ例を示す。
【図３】（ａ）は押出断面形状の例を示し、（ｂ）はフィン高さの高い例を示す。
【発明を実施するための形態】
【０００９】
図面に基づいて以下本発明に係る熱交換部材の製作例を示すが、本発明はこれに限定されない。
図１（ａ）は、ベース部１１の表面に平行に条状の突部１２と溝部１３を交互に形成した押出部材の例を示す。
押出部材の断面形状を図３（ａ）に示すように、押出成形は二次元断面形状の自由度が高く、肉厚１ｍｍ以下の突部（突条部）１２と、幅１ｍｍ以下の溝部１３をベース部１１に対して容易に形成でき、突部１２の高さも突部１２の肉厚の５倍〜１００倍程度の範囲にて自由に設定できる。
次に図１（ｂ）に示すように突部１２の条方向に対して所定の角度にてクロス（交差）する方向に、例えば図１（ｂ）では二点鎖線２０で示す切削方向にフライスやノコ歯を用いて切削溝１４を形成する。
すると、図１（ｃ）に示すような平面視で略菱形形状のフィンが形成された熱交換部材１０が得られる。
図３（ｂ）に参考として、フィン高さの高い例を示す。
なお、切削溝１４の切削深さは必ずしも突部１２の高さに合せる必要がなく、溝部１３と切削溝１４の深さに段差が生じてもよい。
図１に示した実施例では、溝部１３と切削溝１４の底部が面一になるように切削した例を示す。
これにより、アルミニウム押出材等を用いてベース部１１の表面に略菱形形状のフィンを容易に形成することができる。
【００１０】
図２は、図１（ｃ）に示した熱交換部材１０を用いて、空気，水，その他の冷媒等の流体Ｌが菱形フィンの２つの対角線のうち、例えば長い一方の対角線に沿って流れるように熱交換部材（ヒートシンク）１０ａを製作する例を示す。
図２（ａ）に示すように、流体Ｌの流れがフィン１５の菱形形状の対角線方向１１５に一致させることを想定して、斜めに切断して切り出す。
このようにして切り出し、周囲のフィンも切除した例を図２（ｂ）に示す。
図２（ｃ）は、上記フィン１５を囲むようにケース体３１を取り付けた例を示す。
ベース部１１ａの裏面を発熱体３０に接触させることで、ヒートシンクとしての機能が発揮され、流体Ｌが菱形形状のフィンに効率よく接触し、熱抵抗が小さくなる。
本発明に係る製作方法を用いると、押出材との組み合せにてフィンの菱形の形状（２つの対角線の比）や高さの設計自由度が高い。
また、ベース部の肉厚を薄くすると、菱形形状のフィンを形成後に湾曲させて使用することもできる。
【符号の説明】
【００１１】
１０      熱交換部材
１０ａ    熱交換部材（ヒートシンク）
１１      ベース部
１２      突部
１３      溝部
１４      切削溝
１５      フィン
２０      切削方向
３０      発熱体
３１      ケース体
１１５    対角線方向
【図１】
2014236024.tif 000003
【図２】
2014236024.tif 000004
【図３】
2014236024.tif 000005
(57)【要約】 【課題】従来の電動作業車では電動機駆動用のスイッチをハンドルに設けており、走行操作中は手で作業ができないため極めて不便であった。【解決手段】本発明の農業用電動作業車は、互に離間する左右の走行輪と、この左右の走行輪を夫々回転自在に支持する車体フレームと、この車体フレームを支持する補助輪と、上記車体フレームによって支持される作業者用座席と、この車体フレームに形成した荷台と、上記車体フレームの前部左右に、夫々前方に突出して設けた作業者用足載台と、この足載台の上面前後に夫々設けた前進及び後進用足踏駆動スイッチとより成る。【選択図】図１
2014236695.tif 000002
【特許請求の範囲】
【請求項１】
互に離間する左右の電動走行輪と、この左右の走行輪を夫々回転自在に支持する車体フレームと、この車体フレームを支持する補助輪と、上記車体フレームによって支持される作業者用座席と、この車体フレームに形成した荷台と、上記車体フレームの前部左右に、夫々前方に突出して設けた作業者用足載台と、この足載台の上面前後に夫々設けた前進及び後進用足踏駆動スイッチとより成ることを特徴とする農業用電動作業車。
【請求項２】
上記走行輪が、内部に車輪回転用のモータを有することを特徴とする請求項１記載の農業用電動作業車。
【発明の詳細な説明】
【技術分野】
【０００１】
本発明は作業者が搭乗して走行しながら農作物を収穫するために用いる農業用電動作業車に関するものである。
【背景技術】
【０００２】
電源にバッテリーを使って、ＤＣモーターを駆動して各種の作業が出来る施設園芸用電動作業車は、例えば特許文献１に示されている。
【０００３】
このような電動作業車では、電動作業車のハンドル２に設けたスイッチ７を押すと移動し、前進、後進し、手を離すと止まるものである。
【０００４】
然しながらこのように作業車ではモーター駆動用のスイッチをハンドルに設けており、走行操作中は手で農作業ができず極めて不便であった。
【先行技術文献】
【特許文献】
【０００５】
【特許文献１】実用新案登録第３１３６４７４号（図１）
【発明の概要】
【発明が解決しようとする課題】
【０００６】
上記のように従来の農業用電動作業車では、作業者による走行操作中は手による農作物の収穫ができず、または困難であり、非能率的であった。
【０００７】
本発明は上記のような欠点を除くようにしたものである。
【課題を解決するための手段】
【０００８】
本発明の農業用電動作業車は、互に離間する左右の電動走行輪と、この左右の走行輪を夫々回転自在に支持する車体フレームと、この車体フレームを支持する補助輪と、上記車体フレームによって支持される作業者用座席と、この車体フレームに形成した荷台と、上記車体フレームの前部左右に、夫々前方に突出して設けた作業者用足載台と、この足載台の上面前後に夫々設けた前進及び後進用足踏駆動スイッチとより成ることを特徴とする農業用電動作業車。
【０００９】
上記電動走行輪は、内部に車輪回転用のモータを有することを特徴とする請求項１記載の農業用電動作業車。
【発明の効果】
【００１０】
本発明の農業用電動作業車によれば、作業車の走行は作業者の足で制御することができ、走行中手で農作業を続けることができ、極めて便利であり且つ能率的である。
【図面の簡単な説明】
【００１１】
【図１】本発明の農業用電動作業車の側面図である。
【図２】本発明の農業用電動作業車の平面図である。
【図３】本発明の農業用電動作業車の正面図である。
【発明を実施するための形態】
【００１２】
以下図面によって本発明の実施例を説明する。
【実施例１】
【００１３】
本発明においては、図１〜図３に示すように、内部に車輪回転用ＤＣモータ（ホールインモータ）を有する左右の駆動輪１ａ、１ｂを車体フレーム２の前部によって夫々回転自在に支持せしめ、この車体フレーム２の前部によって作業者用座席３を支持せしめ、車体フレーム２の例えば後部によって荷台４を形成し、上記車体フレーム２の後部下面中央または左右両側を補助輪となる旋回式キャスター５によって支持せしめると共に、上記座席３の両側（左右）位置下面において上記車体フレーム２の前部左右に、夫々前方に突出する作業者用足載台６ａ、６ｂを設け、この足載台６ａ、６ｂの上面前後に夫々上記モータの前進用足踏駆動スイッチ７ａ、７ｂ、後進用足踏駆動スイッチ８ａ、８ｂを上記座席３上に座った作業者の足の爪先及びかかとによって個々に及び同時に押し込み作動できるように設ける。
【００１４】
なお、９ａ、９ｂは夫々上記左右の前輪１ａ、１ｂの上面をカバーする泥よけカバーである。
【００１５】
本発明の農業用電動作業車は上記のような構成であり、以下のように操作される。
【００１６】
（１）前進
左右の前進用足踏スイッチ７ａ、７ｂを同時に押す。
【００１７】
（２）後進
左右の後進用足踏スイッチ８ａ、８ｂを同時に押す。
【００１８】
（３）右旋回
平面図である図２において右（時計方向）旋回せしめる場合には座席３の左側にある前進用足踏スイッチ７ａのみを押す。これによって作業車は右旋回するようになる。
【００１９】
（４）左旋回
平面図である図２において左（反時計方向）旋回せしめる場合には座席３の右側にある前進用足踏スイッチ７ｂのみを押す。これによって作業車は左旋回するようになる。
【００２０】
（５）小回り  
例えば右に小回りしたい場合には、座席３の左側にある前進用足踏スイッチ７ａを押し、同時に右側にある後進用足踏スイッチ８ｂを押せば、作業車を右に小回りでき、左に小回りしたい場合には座席３の左側にある後進用足踏スイッチ８ａを押し、同時に右側にある前進用足踏スイッチ７ｂを押せば良い。
【００２１】
上記のように本発明の電動作業車によれば走行操作は足で行ない、農作物の収穫は手で行なうため作業能率が良く、また、収穫物は荷台４に載せて移動できるので作業者の疲労を大幅に軽減できるようになる。
【００２２】
また、構成が簡単で作業車を軽量にでき、畦越え等も簡単にできるようになる。
【符号の説明】
【００２３】
１ａ  駆動輪
１ｂ  駆動輪
２     車体フレーム
３     座席
４     荷台
５     キャスター
６ａ  作業者用足載台
６ｂ  作業者用足載台
７ａ  前進用足踏駆動スイッチ
７ｂ  前進用足踏駆動スイッチ
８ａ  後進用足踏駆動スイッチ
８ｂ  後進用足踏駆動スイッチ
９ａ  泥よけカバー
９ｂ  泥よけカバー
【図１】
2014236695.tif 000003
【図２】
2014236695.tif 000004
【図３】
2014236695.tif 000005
(57)【要約】      （修正有）【課題】温水等の液体に顔を浸けて顔の美容、活性化を図るために、呼吸補助具を使用して、顔を炭酸温水に浸して行う、美容方法および美容装置を提供する。【解決手段】洗面器１の大きさを、液体を入れて顔を浸けた時に、顔全体を十分に浸けることの出来る大きさにし、その際、喉頸の当たる洗面器の縁の部分に、半円形の様な形の凹みを作り、そこには、断面がカタカナのコの字の様な形の溝を作る。そして、その部分に柔らかくて水を通さない材質の、カットされているバゥムクーヘンの様な形をした物２を嵌め込んだ洗面器と、顔の口から耳のあたりまでの顔に添うような形に曲げられている筒を作り、その筒の口の方の先を直角に曲げ、その先は口で加えやすい形にする。また、耳の方の先は、この筒を加えて液体に顔を浸けた時に、水面より上まで伸びている呼吸補助具３を作る。【選択図】図６
2014236975.tif 000002
【特許請求の範囲】
【請求項１】
洗面器の大きさを、温水等の液体を入れて顔を浸けた時に、顔全体を十分に浸けることの出来る大きさにし、その顔を浸けた時に、喉頸の当たる洗面器の縁の部分には、半円形の様な形の凹みを作り、その部分は、断面がカタカナのコの字の様な形の溝にし、そこにカットされているバゥムクーヘンの様な形をした、柔らかくて水を通さない材質のスポンジ、クッション等で出来ている物を嵌め込んだ洗面器と、筒を顔の口から耳のあたりまでの、顔に添うような形に曲げ、その筒の口の方の先を曲がっている方向と同じ方向に直角に曲げ、その先を口で加えやすい形にし、また、耳の方の先をこの筒を加えて前記の洗面器に温水等の液体を入れて顔を浸けた際に、筒の先が水面より上になるように、耳のあたりまで伸びている形にした、呼吸補助具とを組み合わせた、顔浴セット。
【発明の詳細な説明】
【技術分野】
【０００１】  本発明は、温水等の液体に顔を浸けて顔の美容、活性化を図る、美容器具に関するものである。
【背景技術】
【０００２】  呼吸補助具を使用して、顔を炭酸温水に浸して行う、美容方法および美容装置が提案されている。
この発明は、鼻の穴にも装着する呼吸補助具、目の周りを機械的に揉みほぐし美容マッサージをする装置、お湯を溜める桶にはポンプ等多くの機材が装着されている。
【先行技術文献】
【０００３】
【特許文献】
【特許文献】特開２００８−１３２２９６
【発明の概要】
【発明が解決しようとする課題】
【０００４】  従前の美容方法、器具、装置は全て複雑な構成になっており、そのため、費用対効果の観点から問題が大きい。
本発明は、この問題点を解決するために成されたものである。
【課題を解決するための手段】
【０００５】  洗面器の大きさを、温水等の液体を入れて顔を浸けた際に、顔全体を十分に浸けることの出来る大きさにし、その顔を浸けた時に、喉頸の当たる洗面器の縁の部分は、半円形の様な形の凹みを作り、その部分は、断面がカタカナのコの字の様な形の溝になっている図１の様な洗面器を作る。【０００６】  前記の洗面器の溝に合う、図２の様な形をした、柔らかくて水を通さない材質のスポンジ、クッション等で出来ている物を嵌め込み、図３の様な状態にする。【０００７】  顔の口から耳のあたりまでの、顔に添うような形に曲げられている筒を作り、口の方の先は、曲がっている方向と同じ方向に直角に曲げ、その先は、口で加えやすい形にする。
また、耳の方の先は、この筒を加えて、前記の洗面器に温水等の液体を入れて顔を浸けた際に、筒の先が水面より上になるように、耳のあたりまで伸びている図４のような形をした呼吸補助具を作る。
前記の洗面器と呼吸補助具とを組み合わせて、顔浴セットとして使用する。
【発明の効果】
【０００８】  本発明には、次のような効果がある。
１．器具の形と組み合わせを、シンプルにしているため、低価格で提供できる。
２．温水に入浴剤を入れて使用する場合、内風呂で入浴剤を使用する量の１００分の１      の量の入浴剤を洗面器に入れるだけで、その効能を得ることが出来、経済的である      。
３．温水等を顔と接触させて、皮膚吸収による毛細血管の拡張作用に伴う、皮膚の新陳      代謝を促進させ、活性化を図ることができる。
４．使用方法が簡単で、自分に合った方法で使用できるため、幅広い年齢層の人が利用      できる。
５．顔の形が異なっていても使用出来る。
６．温泉旅館、美容サロン等に常備することにより、来客者へのサービスの向上に繋が      る。
７．洗面器に嵌め込まれているスポンジ、クッション等で出来ている物は、取りはずし      が出来るため、使用後の洗いが楽になる。
【図面の簡単な説明】
【０００９】
【図１】本発明の洗面器の斜視図
【図２】本発明の洗面器に組み合わせる、スポンジ、クッション等で出来ている物の斜視図
【図３】本発明の洗面器に図２の物を嵌め込んだ状態の斜視図
【図４】本発明の呼吸補助具の斜視図
【図５】本発明の図３の洗面器の断面図
【図６】本発明の顔浴セットの使用状態を示す図
【発明を実施するための形態】
【００１０】  洗面器の大きさを、温水等の液体に顔全体を浸けることの出来る大きさにする事は、本発明の基本的な条件になる。
【００１１】  図６の使用状態を示す図のように、顔全体を温水等の液体に浸ける時には、喉頸の位置が水面より下がるので、洗面器の縁に半円形の様な形の凹みを設ける。この凹みには、柔らかくて水を通さない材質のスポンジ、クッション等で出来ている、図２の様な形をした物を嵌め込むために、カタカナのコの字の様な形をした溝を設ける。
【００１２】  喉頸に当たる部分を、柔らかくて水を通さない材質にするのは、顔を浸けた時に喉頸と密着し、水面より下がっても水が漏れないようにする為です。このことにより、楽に顔全体を浸けることが出来ます。
【００１３】  呼吸補助具の口で加える部分は、パイプの吸い口の様に、少し口を開けるだけで加えることの出来る形にし、加えやすい様にする。
【００１４】  顔浴セットの使用方法は、洗面器に入れる液体の量を、顔を浸けた時に液体が零れない程度の量にし、呼吸補助具を加えて口で呼吸をしながら、液体に顔を５分程浸ける。
【００１５】  顔を温水等の液体に浸ける為の、器具の形と組み合わせが、必要最小限に工夫をされている為、低価格で提供出来る。
【００１６】  本発明の顔浴セットは、好みの入浴剤を使用し、好みの温かさにし、好みの時間顔を浸け、好みの効能を得ることの出来る、美容器具です。
【産業上の利用可能性】
【００１７】  本発明の顔浴セットは、安価で購入することが出来、その上、自分の肌に合った最良の方法を、自分で選んで利用することが出来る為、普及率は高いと考えております。
また、工業的に量産する事が可能であるため、産業上の利用可能性を有する。
【符号の説明】
【００１８】  １  洗面器
２  スポンジ、クッション等（柔らかくて水を通さない材質）
３  呼吸補助具
４  水面
【図１】
2014236975.tif 000003
【図２】
2014236975.tif 000004
【図３】
2014236975.tif 000005
【図４】
2014236975.tif 000006
【図５】
2014236975.tif 000007
【図６】
2014236975.tif 000008
(57)【要約】【課題】  吸引装置から排出される臭気・ガス・埃・塵を呼吸により人体内に入ると何らかの悪影響を及ぼすことになる。そこで、本発明は竹微粉末と竹繊維を企業のオフィスや家庭内及び車内等の密閉した部屋に置くだけで脱臭抗菌を行い、又吸引設備においては、容積に応じてダクト内の袋状又はネット状をそれぞれ内容量設定し、それを設置吸引後排出される空気の脱臭抗菌作用をもたらすものを言う。吸引装置内に竹粉微粉末及び５ｍｍ以下に選別した竹繊維を封入することにより、吸引後排出される空気の脱臭及び抗菌作用をもたらすものである。【解決手段】  原料は盂宗竹、和竹、笹竹等の竹材を所要の小片に破砕のうえ、加圧押出装置により少なくとも１０〜２００ミクロンの微粉末に粉砕した粉末及び５０ｍｍ以下に選別した竹繊維であることを特徴とするものである。吸引装置の面積大小及び吸引装置の体積（高さ大小）に係わらず密着・フイットする成型品は長期間の効果が期待できる。なお、竹粉微粉末・竹繊維は脱臭及び抗菌作用の効能が弱まれば、取替え可能な詰め替えが可能なタイプの提供である。【特許請求の範囲】
【請求項１】
原料は孟宗竹、和竹、笹竹等の竹材を所要の小片に破砕のうえ、加圧押出装置により少なくとも１０〜２００ミクロンの粉砕した微粉末及び５０ｍｍ以下に選別した竹繊維であることを特徴とするものである。
【請求項２】
原料は粉砕した微粉末及び竹繊維を所定の容積に応じて袋状またはネット状に収納し、企業のオフィスや家庭内及び車内等の密閉した部屋の脱臭及び抗菌作用をもたらすものである。
【請求項３】
原料は粉砕した微粉末及び竹繊維を所定の容積に応じて袋状またはネット状で収納し、吸引ダクト内に設置した後、吸引後排出される空気の脱臭及び抗菌作用をもたらすものである。
【請求項４】
吸引設備が請求項１〜２記載に使用される吸引後の排出される空気の脱臭及び抗菌作用をもたらすものを言う。
【請求項５】
吸引設備には全てに適用され、請求項１〜３記載に使用される原料は、取替えの効くもので吸引後の排出される空気の脱臭及び抗菌作用をもたらすものである。
【請求項６】
吸引設備で吸引される空気に含まれる、有機溶剤臭又は一般悪臭（アンモニア・アミン類・メチルメルカプタン・エチレン）をすべて脱臭抗菌し排出をもたらすものである。
【発明の詳細な説明】
【技術分野】
【０００１】  本発明は竹微粉末と竹繊維を企業のオフィスや家庭内及び車内等の密閉した部屋に置くだけで脱臭抗菌を行い、又吸引設備においては、容積に応じてダクト内の袋状又はネット状をそれぞれ内容量設定し、それを設置吸引後排出される空気の脱臭抗菌作用をもたらすものを言う。
【背景技術】
【０００２】  従来、脱臭剤は合成品がほとんどで天然素材の脱臭剤は皆無であった。そこで天然素材である竹本来の性質・性能を利用して、竹微粉末及び竹繊維を脱臭剤として試験研究を行った。【０００３】  竹微粉末と竹繊維を企業のオフィスや家庭内及び車内等の密閉した部屋に置くだけで脱臭抗菌を行う作用をもたらすものを言う。【０００４】  吸引設備においては、多数の商品が関発されてきました。しかし、吸引能力を高める方向に重点をおかれ、吸引した後の処理は何ら行われてないのが現状です。
吸引設備は、部屋等の換気を目的とし主に臭気・ガス・埃・塵を排出するのが役割で、排出後の空気はまさに人体に悪い物質を多く含んでいる。【０００５】  特に、工場等からの排気は臭気・ガス・溶剤臭等で地域住民の生活を脅かすまでになっている。【０００６】  工場から排出される排気口は様々で、ダクトの大きさ・排出ブロー等幾種類の条件があり形状も様々である。【０００７】  あらゆる条件化でも対応可能で容積に応じてダクト内に設置可能である。また、臭気の度合いによりダクト内の設置容量は自由に調整が出来る。【０００８】  尚且つ、脱臭効果が減少した場合には取替え可能である。その場合使用後の竹微粉末及び竹繊維は産業廃棄物で処理する必要はなく、畑又は庭に施すと素晴らしい堆肥となる。【０００９】  近年の産業で必要不可欠である有機溶剤の使用量は増えつつある。有機溶剤中毒予防規則（有機則）の対象となる有機溶剤は５４種類ある。【００１０】  第１種有機溶剤・第２種有機溶剤・第３種有機溶剤すべてにおいて脱臭効果がある。
【発明の開示】
【発明が解決しようとする課題】
【００１１】  本発明は竹微粉末と５０ｍｍ以下に選別した竹繊維を吸引設備のダクト内に設置し、吸引後の排出空気の脱臭及び抗菌作用をもたらすものを言う。
【課題を解決するための手段】
【００１２】  原料は孟宗竹、和竹、笹竹等の竹材を所要の小片に破砕のうえ、加圧押出装置により少なくとも１０〜２００ミクロンの微粉末に粉砕した粉末及び５０ｍｍ以下に選別した竹繊維であることを特徴とする原料を使用して、吸引された空気を脱臭抗菌して排出方法の提供である。
【産業上の利用可能性】
【００１３】  天然素材である、竹粉微粉末及び５ｍｍ以下に選別した竹繊維を袋状又はネット状で、企業のオフィスや家庭内及び車内等の密閉した部屋に置くだけで脱臭抗菌を行う作用をもたらすものを言う。
吸引装置内においては、袋状又はネット状で設置することで吸引後の空気の脱臭及び抗菌作用が得られる。なお、竹粉・竹繊維は脱臭及び抗菌作用の効能が弱まれば、取替え可能な詰め替えタイプがある。その場合、吸引装置の面積大小及び吸引装置の体積（高さ大小）に係わらず密着・フイットする成型、竹粉及び竹繊維入りフィルターで、吸引後排出空気の脱臭及び抗菌作用をもたらすものを言う。
九州産業大学総合機器センターで測定
測定結果：検知管による方法
【表１】
2014236949.tif 000002
2014236949.tif 000003
2014236949.tif 000004
2014236949.tif 000005
【表２】
2014236949.tif 000006
2014236949.tif 000007
2014236949.tif 000008
【発明の効果】
【００１４】  本発明は竹微粉末と竹繊維を企業のオフィスや家庭内及び車内等の密閉した部屋に置くだけで脱臭抗菌を行い、又吸引設備においては、容積に応じてダクト内の袋状又はネット状をそれぞれ内容量設定し、それを設置吸引後排出される空気の脱臭抗菌作用をもたらすものを言う。吸引装置の面積大小及び吸引装置の体積（高さ大小）に係わらず密着・フイットする。竹粉微粉末及び竹繊維入りフィルターで、吸引後排出される空気は脱臭及び抗菌された状態であるものである。